(57)【要約】【課題】密封用の袋に封入されたレトルト食品などの中身を、袋の形状や大きさに関わりなく、無駄なく簡単に取り出し可能な用具を提供する。【解決手段】取出用具１０は、ヘラ本体１２と柄１４が連続した構造となっており、ヘラ本体１２の縁部１６側には、湾曲部１２Ａが形成されている。前記縁部１６の両端には、柄１４と略直交する方向に延長した凸部１８Ａ，１８Ｂが縁部１６に連続形成されている。レトルト食品などを封入した袋３０の中身３６を取り出すときは、開封口３２から取出用具１０を入れてヘラ本体１２で中身３６をかき出す。このとき、湾曲部１２Ａが設けられているため、取出用具１０全体を傾けなくても、ヘラ本体１２全体が袋３０の内側に付かず、中身３６を簡単にかき出せる。更に、凸部１８Ａ，１８Ｂを利用することで、袋３０の角３４に入り込んでいる中身３６も無駄なく取り出すことができる。【選択図】図１
2011217930.tif 000002
【特許請求の範囲】
【請求項１】
袋から中身を取り出すための取出用具であって、
ヘラ本体と柄が連続形成されており、前記ヘラ本体の先端の縁部側が、湾曲ないし屈曲しているとともに、全体が耐熱性を有することを特徴とする取出用具。
【請求項２】
前記ヘラ本体の先端の縁部の少なくとも一端側に、前記柄と略直交する方向に延長した凸部を、前記縁部に連続して設けたことを特徴とする請求項１記載の取出用具。
【請求項３】
前記ヘラ本体及び柄が、ステンレス製であることを特徴とする請求項１又は２記載の取出用具。
【発明の詳細な説明】
【技術分野】
【０００１】
本発明は、袋に中身が密封されたレトルト食品などを取り出すための取出用具に関するものである。
【背景技術】
【０００２】
レトルト食品は、気密性及び遮光性を有する容器に中身を密封したもので、その容器としては、成形容器や、合成樹脂やアルミ箔を積層加工したフィルムからなる袋状のパウチがある。前記パウチから中身を取り出すときは、袋を開封して手で絞り出すが、中身を無駄なく取り出すためには何度も袋をしごく必要があり、手間がかかるとともに、手を汚してしまうこともある。また、袋の角に中身が詰まっていると、綺麗に取り出すのが困難であり不経済である。更に、パウチを加熱してから中身を出すときは、熱くて作業しにくいという不都合がある。このような問題に対し、例えば、下記特許文献１には、はさみの柄の部分を長く伸ばして、該柄の部分をトング、あるいはレトルト食品袋などを外側からはさんで袋の内容物を搾り出すための道具として使えるようにしたはさみが開示されている。また、下記特許文献２には、中身を取り出す用具をシール袋と一緒にシールしたシール袋が開示されている。
【先行技術文献】
【特許文献】
【０００３】
【特許文献１】特開２００７−６８９３８号公報
【特許文献２】実開平８−６９９号公報
【発明の概要】
【発明が解決しようとする課題】
【０００４】
しかしながら、上述した特許文献１に記載の技術では、柄の部分を袋の内容物の絞り出しに使うとき、同時にはさみの部分も開いてしまうので、取り扱いに注意が必要となるほか、柄の部分の長さが袋の幅に足りなければ、袋の両側をしごくように、はさみ又は袋を持ち替えなければならないという不都合がある。また、下記特許文献２に記載の技術では、用具とシール袋が一体となっており、用具の一部がシール袋の外側に突き出ているため、シール袋の保管中に場所をとってしまうとともに、使用済みの用具が不要となり不経済であるという不都合がある。
【０００５】
本発明は、以上の点に着目したもので、密封用の袋の大きさや形状や、袋の加熱の有無に関わりなく、袋の中身を、手を汚さずに無駄なく簡単に取り出すことができる取出用具を提供することを、その目的とする。
【課題を解決するための手段】
【０００６】
本発明は、袋から中身を取り出すための取出用具であって、ヘラ本体と柄が連続形成されており、前記ヘラ本体の先端の縁部側が、湾曲ないし屈曲しているとともに、全体が耐熱性を有することを特徴とする。主要な形態の一つでは、前記ヘラ本体の先端の縁部の少なくとも一端側に、前記柄と略直交する方向に延長した凸部を、前記縁部に連続して設けたことを特徴とする。他の形態は、前記ヘラ本体及び柄が、ステンレス製であることを特徴とする。本発明の前記及び他の目的，特徴，利点は、以下の詳細な説明及び添付図面から明瞭になろう。
【発明の効果】
【０００７】
本発明によれば、ヘラ本体と柄を連続形成し、前記ヘラ本体の先端の縁部側が湾曲ないし屈曲した取出用具の全体が耐熱性を有しているため、袋に密封された中身を、袋の形状や寸法，加熱の有無に関わらず、手を汚さずに無駄なく簡単に取り出すことができる。特に、前記ヘラ本体の縁部の少なくとも一端側に、前記柄と略直交する方向に延長した凸部を縁部と連続して設けたので、袋の角に詰まっている中身を綺麗に取り出すことができるという効果がある。
【図面の簡単な説明】
【０００８】
【図１】図１は、本発明の取出用具を示す図であり、(A)は実施例１の平面図，(B)は実施例１の側面図，(C)は実施例１の斜視図，(D)は実施例１の使用状態を示す斜視図，(E)は変形例を示す斜視図である。
【発明を実施するための形態】
【０００９】
以下、本発明を実施するための形態を、実施例に基づいて詳細に説明する。
【実施例１】
【００１０】
最初に、図１(A)〜図１(D)を参照しながら本発明の実施例１を説明する。図１(A)は本実施例の取出用具の平面図，図１(B)は側面図，図１(C)は斜視図，図１(D)は使用状態を示す斜視図である。図１(A)〜(D)に示すように、本実施例の取出用具１０は、ヘラ本体１２と柄１４が連続した構造となっており、前記ヘラ本体１２の縁部１６側には、緩やかな湾曲部１２Ａが設けられている。また、前記縁部１６の両端には、前記柄１４と略直交する方向に延長形成された凸部１８Ａ，１８Ｂが、前記縁部１６に連続して形成されている。一方、前記柄１４の端部側には、穴２０が形成されている。該穴２０は、取出用具１０を図示しないフックなどに掛けて収納するためのもので、必要に応じて設けられる。このような取出用具１０は、耐熱性を有する公知の各種の材質，例えば、ステンレス等によって形成することができる。
【００１１】
次に、公知の平袋状のパウチ３０に密封されているレトルト食品を取り出す場合を例に挙げて、本実施例の作用及び効果を説明する。まず、パウチ３０を適宜手法で開封し、図１(D)に示すように、開封口３２から取出用具１０のヘラ本体１２側を入れて中身３６をかき出す。このとき、湾曲部１２Ａが設けられているため、取出用具１０全体を傾けなくても、ヘラ本体１２がパウチ３０の内側に付かず、中身３６を簡単にかき出すことができる。パウチ３０の容量に応じて、数回かき出し動作をすることで、手を汚すことなく、中身３６を残さず簡単に取り出すことができる。また、凸部１８Ａ又は１８Ｂを利用することで、パウチ３０の角３４に中身３６が詰まっている場合であっても、無駄なく綺麗に取り出すことができ、経済的である。更に、取出用具１０全体が耐熱性を有するため、加熱後のパウチ３０からも中身３６を取り出すことができる。また、前記柄１４に穴２０を設けているため収納しやすい。
【００１２】
図１(E)には、本実施例の変形例が示されている。図１(E)に示す取出用具５０は、ヘラ本体５２と柄５４が連続し、ヘラ本体５２の縁部５６側に湾曲部５２Ａが形成され、柄５４の先端側に穴５８が形成されている。該取出用具５０では、ヘラ本体５２の形状が前記取出用具１０と異なるほか、ヘラ本体５２の縁部５６に凸部が設けられていない点で前記取出用具１０と異なる。図示の取出用具５０では、ヘラ本体５２が、柄５４との境目から縁部５６側へ向けて徐々に広がった形状となっているため、縁部５６の端部そのものによって、パウチ３０の角３４に詰まった中身３６を取り出すことができる。他の基本的な作用・効果は、前記取出用具１０と同様である。
【００１３】
なお、本発明は、上述した実施例に限定されるものではなく、本発明の要旨を逸脱しない範囲内において、種々変更を加え得ることができる。例えば、以下のものも含まれる。
(1)前記実施例に示した形状，寸法は一例であり、必要に応じて適宜変更してよい。例えば、前記ヘラ本体１２，５２や、柄１４，５４の形状は一例であり、同様の効果を奏する範囲内で適宜変更してよい。
(2)材質についても同様に、必要に応じて公知の各種材質を用いてよい。
(3)前記実施例１及びその変形例では、ヘラ本体１２，５２の縁部側に、湾曲部１２Ａ，５２Ａを設けることとしたが、湾曲部に代わりに屈曲部を形成してもよい。なお、湾曲部，屈曲部のいずれの場合も、取出用具１０，５０自体を洗うのが容易であるように、緩やかなカーブないし角度とすると都合がよい。
(4)前記実施例１及びその変形例では、柄１４，５４に穴２０，５８を設けたが、これも一例であり、穴は必要に応じて設ければよい。あるいは、前記柄１４，５４の先端にフックを形成し、該フックをリングなどにかけて収納してもよい。
(5)前記実施例では、袋として平袋状のパウチ３０を例に挙げたが、これも一例であり、本発明は、スタンディングパウチなどの公知の各種のレトルト食品を封入した袋からの中身の取り出しに適用可能である。むろん、レトルト食品以外のもの，例えば、シャンプーや洗剤などの詰め替え用の袋や容器から、その中身を取り出すための用途全般に、本発明は適用可能である。
【産業上の利用可能性】
【００１４】
本発明によれば、ヘラ本体と柄を連続形成し、前記ヘラ本体の先端の縁部側を湾曲ないし屈曲させるとともに、全体が耐熱性を有することとしたので、袋の形状や寸法，加熱の有無に関わらず、袋の中身を、手を汚さずに無駄なく簡単に取り出すことができる。このため、袋に封入された中身を取り出すための取出用の用途に適用できる。特に、レトルト食品などの取り出しに好適である。
【符号の説明】
【００１５】
１０：取出用具
１２：ヘラ本体
１２Ａ：湾曲部
１４：柄
１６：縁部
１８Ａ，１８Ｂ：凸部
２０：穴
３０：パウチ
３２：開封口
３４：角
３６：中身
５０：取出用具
５２：ヘラ本体
５２Ａ：湾曲部
５４：柄
５６：縁部
５８：穴
【図１】
2011217930.tif 000003